(57)【要約】【課題】上皿ユニットに操作手段を取り付ける場合に、上皿における遊技球の流れを円滑にして遊技の興趣を損なわないようにできる弾球遊技機とする。【解決手段】上皿１１０は、上皿１１０に供給された遊技球Ｂを受け止める球受け部１１１と、発射装置へ遊技球Ｂを排出する球排出部１１２と、球受け部１１１から球排出部１１２へ遊技球Ｂを供給する球供給部１１３とから構成されている。上皿ユニット１００には、球供給部１１３の前方に操作手段１５０が設けられ、球受け部１１１は、上皿ユニット１００の前端近傍まで遊技者側に膨らんで形成されているとともに、球供給部１１３は、球受け部１１１の前端と球排出部１１２の前端とをつなぐ部分であって操作手段１５０に対応する部分が、操作手段１５０を避けるように遊技者と反対側に凹んで形成されている。【選択図】図３
2014226229.tif 000002
【特許請求の範囲】
【請求項１】
遊技球を一時的に貯留して発射装置に導く上皿を有する上皿ユニットを備えた弾球遊技機において、
前記上皿は、当該上皿に供給された遊技球を受け止める球受け部と、前記発射装置へ遊技球を排出する球排出部と、前記球受け部から前記球排出部へ遊技球を供給する球供給部とから構成され、
前記上皿ユニットには、前記上皿の前記球供給部の前方に操作手段が設けられ、
前記上皿の前記球受け部は、前記上皿ユニットの前端近傍まで遊技者側に膨らんで形成されているとともに、
前記上皿の前記球供給部は、前記上皿の前記球受け部の前端と前記上皿の前記球排出部の前端とをつなぐ部分であって前記操作手段に対応する部分が、当該操作手段を避けるように遊技者と反対側に凹んで形成されていることを特徴とする弾球遊技機。
【発明の詳細な説明】
【技術分野】
【０００１】
本発明は、弾球遊技機に関し、特に、遊技球を一時的に貯留して発射装置に導く上皿ユニットを備えた弾球遊技機に関する。
【背景技術】
【０００２】
従来、パチンコ遊技機等の弾球遊技機の中には、遊技球を一時的に貯留して発射装置に導く上皿ユニットを備えたものがある（例えば、特許文献１参照）。この上皿ユニットでは、遊技の興趣を損なうことがないように、上皿をなるべく大容量にして遊技球の流れを円滑にすることが望ましい。
【先行技術文献】
【特許文献】
【０００３】
【特許文献１】特開２０１３−２７７４５号公報
【発明の概要】
【発明が解決しようとする課題】
【０００４】
しかしながら、上皿ユニットは遊技者側に突出しており、遊技者の手指に近いことから、十字キーなどの操作手段が上皿ユニットに取り付けられる場合がある。この場合、上皿ユニットに操作手段の設置スペースを確保しなければならず、それに伴って上皿の容量が小さくなり、遊技球の流れが滞って遊技の興趣を損なう恐れがある。
【０００５】
本発明は、このような事情に鑑みてなされたものであり、上皿ユニットに操作手段を取り付ける場合に、上皿ユニットに操作手段の設置スペースを確保しつつも、上皿の容量をなるべく大きくすることにより、上皿における遊技球の流れを円滑にして遊技の興趣を損なわないようにすることが可能な弾球遊技機を提供することを目的とする。
【課題を解決するための手段】
【０００６】
かかる課題を解決するために、本発明の請求項１に記載の発明は、遊技球を一時的に貯留して発射装置に導く上皿を有する上皿ユニットを備えた弾球遊技機において、前記上皿は、当該上皿に供給された遊技球を受け止める球受け部と、前記発射装置へ遊技球を排出する球排出部と、前記球受け部から前記球排出部へ遊技球を供給する球供給部とから構成され、前記上皿ユニットには、前記上皿の前記球供給部の前方に操作手段が設けられ、前記上皿の前記球受け部は、前記上皿ユニットの前端近傍まで遊技者側に膨らんで形成されているとともに、前記上皿の前記球供給部は、前記上皿の前記球受け部の前端と前記上皿の前記球排出部の前端とをつなぐ部分であって前記操作手段に対応する部分が、当該操作手段を避けるように遊技者と反対側に凹んで形成されている弾球遊技機としたことを特徴とする。
【０００７】
請求項１に係る発明によれば、弾球遊技機の上皿ユニットに操作手段を取り付ける場合に、この操作手段と上皿とが干渉しない範囲で、上皿の容量をなるべく大きくすることができる。その結果、上皿ユニットに操作手段が設けられた弾球遊技機においても、上皿における遊技球の流れを円滑にして遊技の興趣を損なわないようにすることが可能となる。
【図面の簡単な説明】
【０００８】
【図１】本発明の実施の形態におけるパチンコ遊技機の正面図である。
【図２】同パチンコ遊技機の窓枠を開けて遊技盤を取り外した状態の右斜視図である。
【図３】同パチンコ遊技機の上皿ユニットの平面図である。
【図４】図３のＡ−Ａ断面図である。
【図５】図３のＢ−Ｂ断面図である。
【図６】図３のＣ−Ｃ断面図である。
【発明を実施するための形態】
【０００９】
以下、本発明の実施の形態における弾球遊技機として、パチンコ遊技機を例にして図面を参照しながら説明する。
【００１０】
まず、本実施の形態のパチンコ遊技機の概略構成について説明する。図１及び図２に示すように、本実施の形態のパチンコ遊技機１は、主として、パチンコホール等の遊技場に設けられた台島に設置される外枠２と、外枠２に対して開閉可能に取り付けられた中枠３と、中枠３に対して開閉可能に取り付けられた窓枠４とにより構成されている。また、中枠３には、後述する上皿１１０から溢れた遊技球（パチンコ球）が貯留される下皿１０及び低音用のスピーカ１１を有する下皿ユニット５と、遊技球が転動する領域である遊技領域を有する遊技盤６と、遊技球を遊技盤６の遊技領域へ向けて発射する発射装置１２と、発射装置１２の発射勢（遊技球の飛距離）を調整するために遊技者が操作する操作ハンドル１３と、貸出ボタン７及び返却ボタン８を有する球貸操作部１４と、払い出し用の遊技球を貯留する賞球払出装置１６とが取り付けられている。さらに、窓枠４には、高音用の左右一対のスピーカ９と、上皿ユニット１００とが配設されている。
【００１１】
次に、上皿ユニット１００の構成について、図３〜図６を用いて詳細に説明する。
【００１２】
上皿ユニット１００は、図３に示すように、遊技球Ｂを一時的に貯留して発射装置１２に導く上皿１１０を有している。この上皿１１０は、上皿１１０に供給された遊技球Ｂを受け止める球受け部１１１と、発射装置１２へ遊技球Ｂを排出する球排出部１１２と、球受け部１１１から球排出部１１２へ遊技球Ｂを供給する球供給部１１３とから構成されている。また、上皿ユニット１００には、上皿１１０の球排出部１１２の前方上面に、遊技演出に応じて遊技者が操作可能な押ボタン１２０が配置されているとともに、上皿１１０の球供給部１１３の前方上面に、遊技演出に応じて遊技者が操作可能な操作手段としての十字キー１５０が配置されている。さらに、上皿ユニット１００には、図３及び図４に示すように、上皿１１０の球受け部１１１の後ろ側に、賞球払出装置１６から払い出された遊技球Ｂを球受け部１１１に誘導する遊技球誘導口１１４が取り付けられている。
【００１３】
ここで、上皿１１０の球受け部１１１は、図３及び図４に示すように、上皿ユニット５の前端近傍まで遊技者側（図３下側、図４右側）に膨らんで形成されている。また、上皿１１０の球排出部１１２は、図３及び図５に示すように、下部１１２ａが遊技球Ｂを１列に整列させて発射装置１２へ供給すべく遊技球Ｂの直径より少し広い幅を有する溝状に形成されているとともに、上部１１２ｂが上に行くほど拡幅するように傾斜する形状に形成されている。さらに、上皿１１０の球供給部１１３は、図３及び図６に示すように、球受け部１１１の前端と球排出部１１２の前端とをつなぐ部分であって十字キー１５０に対応する部分が、十字キー１５０を避けるように遊技者と反対側（図３上側、図６左側）に凹んで形成されている。
【００１４】
このような構成のパチンコ遊技機１において、遊技者が遊技を行う際には、球貸操作部１４の貸出ボタン７を押すとともに、操作ハンドル１３を回す。すると、貸出ボタン７が押されたことに対応して、賞球払出装置１６から所定個数の貸球が上皿１１０に払い出された後、上皿１１０から発射装置１２に導かれ、操作ハンドル１３の回転角度に比例した発射勢で遊技盤６の遊技領域へ向けて発射される。そして、こうした遊技中に遊技盤６の遊技領域で遊技球Ｂが入賞すると、賞球払出装置１６から所定個数の賞球が上皿１１０に払い出された後、貸出ボタン７が押された場合と同様、遊技盤６の遊技領域へ向けて発射される。
【００１５】
このように、パチンコ遊技機１では、球貸しの要求や遊技球Ｂの入賞に応じて、上皿１１０に遊技球（貸球、賞球）Ｂが払い出された後、発射装置１２により、遊技盤６の遊技領域へ向けて発射される。このとき、この遊技球Ｂは、まず、遊技球誘導口１１４を介して球受け部１１１に供給されて球受け部１１１で受け止められ、球供給部１１３を経て球排出部１１２に供給された後、発射装置１２に導かれる。
【００１６】
ここで、上皿１１０は、上述したとおり、遊技球Ｂを受け止める球受け部１１１が上皿ユニット５の前端近傍まで遊技者側に膨らんで形成されているので、遊技球Ｂの貯留容量を稼ぐことができる。したがって、上皿１１０において遊技球Ｂの流れが円滑になり、遊技の興趣を損なう事態は生じない。
【００１７】
しかも、上皿１１０は、上述したとおり、球供給部１１３が十字キー１５０を避けるように遊技者と反対側に凹んで形成されているので、十字キー１５０との干渉を避けて、上皿ユニット１００に十字キー１５０の設置スペースを確保することができる。
【００１８】
以上のように、本実施の形態のパチンコ遊技機（弾球遊技機）１は、遊技球Ｂを一時的に貯留して発射装置１２に導く上皿１１０を有する上皿ユニット１００を備えたパチンコ遊技機（弾球遊技機）１において、前記上皿１１０は、当該上皿１１０に供給された遊技球Ｂを受け止める球受け部１１１と、前記発射装置１２へ遊技球Ｂを排出する球排出部１１２と、前記球受け部１１１から前記球排出部１１２へ遊技球Ｂを供給する球供給部１１３とから構成され、前記上皿ユニット１００には、前記上皿１１０の前記球供給部１１３の前方に十字キー（操作手段）１５０が設けられ、前記上皿１１０の前記球受け部１１１は、前記上皿ユニット１００の前端近傍まで遊技者側に膨らんで形成されているとともに、前記上皿１１０の前記球供給部１１３は、前記上皿１１０の前記球受け部１１１の前端と前記上皿１１０の前記球排出部１１２の前端とをつなぐ部分であって前記十字キー（操作手段）１５０に対応する部分が、当該十字キー（操作手段）１５０を避けるように遊技者と反対側に凹んで形成されているパチンコ遊技機（弾球遊技機）１としたことを特徴とする。
【００１９】
そして、本実施の形態によれば、パチンコ遊技機（弾球遊技機）１の上皿ユニット１００に十字キー（操作手段）１５０を取り付ける場合に、この十字キー（操作手段）１５０と上皿１１０とが干渉しない範囲で、上皿１１０の容量をなるべく大きくすることができる。その結果、上皿ユニット１００に十字キー（操作手段）１５０が設けられたパチンコ遊技機（弾球遊技機）１においても、上皿１１０における遊技球Ｂの流れを円滑にして遊技の興趣を損なわないようにすることが可能となる。
【００２０】
また、上皿１１０の球排出部１１２の上部１１２ｂは、上述したとおり、上に行くほど拡幅するように傾斜する形状に形成されている。そのため、この球排出部１１２の掃除が容易になり、パチンコ遊技機１のメンテナンス作業を効率良く行うことができる。
【００２１】
なお、以上説明した実施の形態は、本発明の理解を容易にするために記載されたものであって、本発明を限定するために記載されたものではない。
【００２２】
例えば、前記した実施の形態では、パチンコ遊技機を用いて説明したが、これに限るものではなく、本発明は、雀球遊技機やアレンジボール等の他の弾球遊技機にも適用可能である。
【００２３】
また、前記した実施の形態では、上皿ユニットに操作手段として十字キーが配置された場合について説明したが、本発明はこれに限るものではなく、十字キー以外の操作手段が上皿ユニットに設けられている場合にも適用可能である。
【符号の説明】
【００２４】
１…パチンコ遊技機（弾球遊技機）、１２…発射装置、１００…上皿ユニット、１１０…上皿、１１１…球受け部、１１２…球排出部、１１３…球供給部、１５０…十字キー（操作手段）、Ｂ…遊技球
【図１】
2014226229.tif 000003
【図２】
2014226229.tif 000004
【図３】
2014226229.tif 000005
【図４】
2014226229.tif 000006
【図５】
2014226229.tif 000007
【図６】
2014226229.tif 000008